(57)【要約】      （修正有）【課題】従来の家庭用分電盤での常用電源の停電発生から予備発電機の負荷電源切替までの時間及び経費の無駄を失くし、安全面も向上させる。【解決手段】常用電源に何らかの原因で停電が発生した場合、停電検出器が作動し、携帯用発電機を起動させ、始動用蓄電池を利用し電磁接触器を常用側から発電機側へ自動的に電源切替（１０ｍｓｅｃから３０ｍｓｅｃ）を行い負荷電源を供給する。常用電源が復電した場合、電磁接触器を発電機側から常用側へ自動的に電源切（１０ｍｓｅｃから３０ｍｓｅｃ）を行い負荷電源の供給を行うと共に携帯用発電機を停止させる。【選択図】図２
0003111386.tif 000002
【実用新案登録請求の範囲】
【請求項１】
本考案では、家庭用分電盤内に、停電検出器と自動制御回路及び電源切替用電磁接触器を具え、自動制御回路部と携帯用発電機に設けた外部信号受端子で情報交換を行い、安全で且つ、迅速（１０ｍｓｅｃから３０ｍｓｅｃ）に携帯用発電機を自動起動及び自動停止させるとともに負荷電源切替を自動にて行う自動電源切替分電盤。
従来の分電盤は、其のつど配線作業及び発電機の起動、停止に人手を要す為、電源供給に長時間を要する、尚且つ、急ぎの作業をする為、安全面にも欠け、経費にも無駄が多い。
【考案の詳細な説明】
【技術分野】
【０００１】本考案は家庭用分電盤を主に、常用電源が何らかの原因で停電する際に、携帯用発電機を自動（１０ｍｓｅｃから３０ｍｓｅｃ）にて起動させ、発電機側へ負荷電源切替を自動にて行う。また常用電源が復電する際は、携帯用発電機を自動（１０ｍｓｅｃから３０ｍｓｅｃ）停止させ、常用側へ負荷電源切替を自動にて行う。
【背景技術】
【０００２】従来の家庭用分電盤は、常用電源が何らかの原因で停電がすると、復電するまで待つか、もしくは発電機の手配及び配線工事を必要とする為、停電時間が長くなると同時に、発電機の起動、停止及び負荷電源切替を手動にて実施する為、負荷電源供給に時間が掛かる、また作業が専門的になることから経費が掛かることとなる。
【考案の開示】
【考案が解決しようとする課題】
【０００３】前記、従来の家庭用分電盤では、常用電源の停電発生から予備発電機の負荷電源切替までに人手を要とする為、負荷電源供給までの時間及び経費に無駄が生ると共に安全面にも欠ける。
【課題を解決するための手段】
【０００４】停電検出器や各種継電器を使用した制御回路を具えることにより前記が解決出来る。特に負荷電源切替に要する時間が非常に短縮（１０ｍｓｅｃから３０ｍｓｅｃ）できる。それにあらかじめ分電盤内の結線が済んでいる為、人手作業が殆ど無く安全である。
【考案の効果】
【０００５】本考案の自動電源切替分電盤は前記のように構成されており、次の効果が達成出来る。即ち（１）従来の家庭用分電盤では、漏電遮断器と配線用遮断器での構成であり、災害時の（停復電等）対策が成されておらず、特に復電の際に二次災害を発生させる恐れがある。本考案によってこの問題点が解決出来る。（２）災害時にも自動的に電源が供給出来る為、テレビ、ラジオ等の情報収集や食物の衛生管理を徹底し心身的に安心度が増し、落ち着いた生活や行動が出来る。
【考案を実施するための最良の形態】
【実施例】
【０００６】本考案の自動電源切替分電盤は（１）常用電源が何等かの原因で停電が発生すると、停電検出器の無電圧接点が作動し制御回路に停電信号を送り、予め準備した携帯用発電機を自動起動させると共に電磁接触器の発電機側コイルへ投入信号を送り、負荷側へ携帯用発電機より電源を供給する。常用電源が復電すると携帯用発電機を自動動停止させ、電磁接触器の常用側コイルへ投入信号を送出し、負荷側へ常用電源にて電源を供給する。
【図面の簡単な説明】
【０００７】
【図１】構成  １．    Ｄ．Ｃ用配線遮断器  ２．    制御用端子盤  ３．    常用電源用漏電遮断器  ４．    自動制御集積回路  ５．６．    停電検出器  ８．〜１５．    各種負荷ＡＣ用遮断器  以上を有した自動電源切替分電盤。
【図２】自動制御部  ２７Ｘ    継電器  ６２Ｔ１    時限継電器  ◎    制御用外部端子  ６２Ｔ２    時限継電器  ６２Ｔ３    時限継電器  以上を有した自動制御部。
【図３】分電盤内単線結線  ＮＦＢ１．    電源用漏電遮断器  ＮＦＢ．    配線用遮断器  ＮＶ．    停電検出器  Ｍｇ．    電磁接触器  ▼．    半導体  ＥＮＧ．    発電機  以上を有した単線結線。
【図１】
0003111386.tif 000003
【図２】
0003111386.tif 000004
【図３】
0003111386.tif 000005
【手続補正書】
【提出日】平成17年2月24日(2005.2.24)
【手続補正１】
【補正対象書類名】実用新案登録請求の範囲
【補正対象項目名】全文
【補正方法】変更
【補正の内容】
【実用新案登録請求の範囲】
【請求項１】
家庭用分電盤内に、停電検出器と自動制御回路部及び負荷電源切替用電磁接触機を具え、自動制御回路部と携帯用発電機に設けた外部信号受端子で情報交換を行い、安全、且つ迅速に携帯用発電機を自動起動及び自動停止をさせると共に負荷電源切替を自動にて行う自動電源切替分電盤。
【手続補正２】
【補正対象書類名】明細書
【補正対象項目名】全文
【補正方法】変更
【補正の内容】
【考案の詳細な説明】
【技術分野】
【０００１】本考案は、常用電源が何らかの原因で長時間停電が想定される場合に、携帯用発電機を自動で（１０ｍｓｅｃから３０ｍｓｅｃ以内に）起動させ、発電機側から負荷側へ電気の供給を行う。また常用電源が復電する際は、携帯用発電機を自動で（１０ｍｓｅｃから３０ｍｓｅｃ以内に）停止させ、常用側から負荷側へ電気の供給を行う。
【背景技術】
【０００２】従来の家庭用分電盤は、商用電源が何らかの原因で長時間停電が想定された場合でも、復電するまで待つか、若しくは携帯用発電機の手配、及び分電盤の配線工事を施して後、携帯用発電機より負荷側へ電気の供給をするかであり、いずれにしても長時間停電が懸念される。
【考案の開示】
【考案が解決しようとする課題】
【０００３】前記、従来の家庭用分電盤では、商用電源の長時間停電が想定され、携帯用発電機を使用したくても、分電盤内の配線工事等及び負荷電源切替等に専門技術者が必要となり時間と経費がかかってしまう。
【課題を解決するための手段】
【０００４】本考案は、各種継電器を組合せ制御回路を構成ることにより前記の問題点が解決出来る。特に負荷電源切替に要する時間が非常に短縮（１０ｍｓｅｃから３０ｍｓｅｃ以内に）できる。それにあらかじめ分電盤内の結線が済んでいる為、人手作業が殆ど無く安全である。
【考案の効果】
【０００５】本考案の自動電源切替分電盤は前記のように構成されており、次の効果が達成出来る。即ち、商用電源が長時間停電が想定されても従来の家庭用分電盤では解決出来なかった携帯用発電機の自動起動および自動停止並びに負荷電源切替が、本考案により素早く出来る事で商用電源の長時間停電が解消され、いち早くテレビ、ラジオ等の情報収集は勿論のこと、精神的な不安を解消し落ち着いた生活や行動が出来る。
【考案を実施するための最良の形態】
【０００６】本考案の自動電源切替分電盤は（１）常用電源が何らかの原因で長時間停電が発生すると、停電検出器の無電圧接点が作動し自動制御回路に停電信号を送り、予め準備した携帯用発電機を自動起動させると共に電磁接触器の発電機側コイルへ投入信号を送り、負荷電源切替を確立させ携帯用発電機より負荷側へ電気の供給を実施する。また常用電源が復電すると停電検出器からの停電回復信号を制御回路が受け携帯用発電機を自動停止させると同時に、自動制御回路より電磁接触器の常用側コイルへ投入信号を送り、負荷電源切替を確立させ負荷側へ常用電源から電気の供給を実施する。
【図面の簡単な説明】
【０００７】
【図１】自動電源切替分電盤構成図
【図２】自動制御回路図
【図３】自動電源切替分電盤単線結線図
【手続補正３】
【補正対象書類名】図面
【補正対象項目名】全図
【補正方法】変更
【補正の内容】
【図１】
0003111386.tif 000006
【図２】
0003111386.tif 000007
【図３】
0003111386.tif 000008